(57)【要約】【課題】貯湯式給湯機のリモートコントローラを安価に提供する。【解決手段】下横セグメント５４ａと中横セグメント５４ｂと上横セグメント５４ｃと左上縦セグメント５４ｄと左下縦セグメント５４ｅと右上縦セグメント５４ｆと右下縦セグメント５４ｇとを８の字状に配すると共に、下横セグメント５４ａと中横セグメント５４ｂの間の下中横セグメント５４ｈと、上横セグメント５４ｃと中横セグメント５４ｂの間の上中横セグメント５４ｉとを有した９セグメント表示部５４を備え、下横セグメント５４ａと中横セグメント５４ｂと上横セグメント５４ｃと下中横セグメント５４ｈと上中横セグメント５４ｉとで貯湯タンク内の残湯量を表示可能とし、操作部３６の操作に応じて、９セグメント表示部５４の表示内容を給湯温度の指標と残湯量とで切り替えて表示するようにした。【選択図】図３
2015200429.tif 000002
【特許請求の範囲】
【請求項１】
下横セグメントと、中横セグメントと、上横セグメントと、左上縦セグメントと、左下縦セグメントと、右上縦セグメントと、右下縦セグメントとを８の字状に配すると共に、前記下横セグメントと前記中横セグメントの間の下中横セグメントと、前記上横セグメントと前記中横セグメントの間の上中横セグメントとを有した９セグメント表示部を備え、前記下横セグメントと、前記中横セグメントと、前記上横セグメントと、前記左上縦セグメントと、前記左下縦セグメントと、前記右上縦セグメントと、前記右下縦セグメントとで給湯温度の指標を数字で表示可能とし、前記下横セグメントと、前記中横セグメントと、前記上横セグメントと、前記下中横セグメントと、前記上中横セグメントとで給湯用の湯水を貯湯する貯湯タンク内の残湯量とを表示可能とし、操作部の操作に応じて、前記９セグメント表示部の表示内容を給湯温度の指標と残湯量とで切り替えて表示することを特徴とする貯湯式給湯機のリモートコントローラ。
【請求項２】
所定の時間間隔で前記９セグメント表示部の表示内容を給湯温度の指標と残湯量とで切り替えて表示することを特徴とする請求項１記載の貯湯式給湯機のリモートコントローラ。
【請求項３】
前記貯湯タンク内の残湯量が少ない場合は、前記９セグメント表示部の表示内容を残湯量とすることを特徴とする請求項１または２記載の貯湯式給湯機のリモートコントローラ。
【発明の詳細な説明】
【技術分野】
【０００１】
本発明は給湯用の湯水を貯湯する貯湯タンクを備えた貯湯式給湯機のリモートコントローラに関するものである。
【背景技術】
【０００２】
従来よりこの種の貯湯式給湯機のリモートコントローラでは、７セグメント表示部で給湯温度を表示し、貯湯タンク内の残湯量は７セグとは別の専用に設けられた固定キャラクタのバー表示部で表示していた。
【先行技術文献】
【特許文献】
【０００３】
【特許文献１】特開２００６−２１４６４５号公報
【発明の概要】
【発明が解決しようとする課題】
【０００４】
しかし、この従来のものでは、表示部が複数必要となるため高コストとなるものであった。
【課題を解決するための手段】
【０００５】
本発明は上記課題を解決するため、下横セグメントと、中横セグメントと、上横セグメントと、左上縦セグメントと、左下縦セグメントと、右上縦セグメントと、右下縦セグメントとを８の字状に配すると共に、前記下横セグメントと前記中横セグメントの間の下中横セグメントと、前記上横セグメントと前記中横セグメントの間の上中横セグメントとを有した９セグメント表示部を備え、前記下横セグメントと、前記中横セグメントと、前記上横セグメントと、前記左上縦セグメントと、前記左下縦セグメントと、前記右上縦セグメントと、前記右下縦セグメントとで給湯温度の指標を数字で表示可能とし、前記下横セグメントと、前記中横セグメントと、前記上横セグメントと、前記下中横セグメントと、前記上中横セグメントとで給湯用の湯水を貯湯する貯湯タンク内の残湯量とを表示可能とし、操作部の操作に応じて、前記９セグメント表示部の表示内容を給湯温度の指標と残湯量とで切り替えて表示するようにした。
【０００６】
また、所定の時間間隔で前記９セグメント表示部の表示内容を給湯温度の指標と残湯量とで切り替えて表示するようにした。
【０００７】
また、前記貯湯タンク内の残湯量が少ない場合は、前記９セグメント表示部の表示内容を残湯量とするようにした。
【発明の効果】
【０００８】
本発明によれば、必要な表示を行いつつも表示部の数が減らせるため、貯湯式給湯機のリモートコントローラを安価に提供することができるものである。
【図面の簡単な説明】
【０００９】
【図１】本発明の一実施形態の貯湯式給湯機の概略構成図
【図２】同一実施形態のリモートコントローラの表示部の正面図
【図３】同一実施形態の表示部の全点灯状態の正面図
【図４】同一実施形態の給湯状態および給湯待機状態の表示部の正面図
【図５】同一実施形態の風呂自動運転状態の表示部の正面図
【図６】同一実施形態の沸き増し休止状態の表示部の正面図
【図７】同一実施形態の時刻表示状態の表示部の正面図
【図８】同一実施形態の残湯量少状態の表示部の正面図
【発明を実施するための形態】
【００１０】
次に、本発明の一実施形態を図面に基づいて説明する。
１は湯水を貯湯する貯湯タンク、２は貯湯タンク１の下部に給水する給水管、３は貯湯タンク１の上部から出湯する出湯管、４は給水管２から分岐される給水バイパス管、５は出湯管３からの湯と給水バイパス管４からの水とを混合する混合弁、６は混合弁５で混合された湯を給湯栓７へ導く給湯管である。
【００１１】
８は混合弁５で混合された湯水の温度を検出する給湯温度センサ、９は給湯管６を流れる湯水の流量を検出する給湯流量センサ、１０は給水バイパス管４を流れる水の温度を検出する給水温度センサ、１１ａ〜ｅは貯湯タンク１の側面上下に複数個設けられて貯湯タンク１の貯湯温度を検出する貯湯温度センサ、このうち貯湯タンク１の最下部の貯湯温度センサ１１ｅは、沸き上げ動作の終了を判定する沸き終い温度センサとして機能するものである。１２は給水管２に設けられ給水圧を減圧する減圧弁、１３は貯湯タンク１に連通された管路に設けられ貯湯タンク１内の過圧を逃がす過圧逃がし弁である。
【００１２】
１４は貯湯タンク１内の上部に配置されて浴槽１５内の浴槽水を循環して加熱するための風呂熱交換器、１６は浴槽１５と風呂熱交換器１４とを浴槽水が循環可能に接続する風呂循環回路、１７は風呂循環回路１６途中に設けられて浴槽水を循環させる風呂循環ポンプ、１８は風呂循環ポンプ１７の吸入側に設けられて浴槽水の温度を検出する風呂温度センサ、１９は浴槽１５内の水位を検出する水位センサである。
【００１３】
２０は給湯管６の給湯流量センサ９より下流側から分岐されて風呂循環回路１６に接続された湯張り管、２１は湯張り管２０途中に設けられた湯張り開閉弁である。
【００１４】
２２は貯湯タンク１の下部からの湯水を循環させて貯湯タンク１上部に戻す加熱循環回路、２３は加熱循環回路２２の途中に設けられて循環する湯水を加熱するための水冷媒熱交換器、２４は加熱循環回路２２の水冷媒熱交換器２３よりも上流側に設けられた加熱循環ポンプ、２５は水冷媒熱交換器２３に流入する水の温度を検出する入水温度センサ、２６は水冷媒熱交換器２３で加熱された湯の温度を検出する沸き上げ温度センサである。
【００１５】
２７は冷媒を圧縮して水冷媒熱交換器２３の一次側に圧送する圧縮機、２８は水冷媒熱交換器２３から流出した冷媒を膨張させる膨張弁、２９は膨張弁２８で膨張された冷媒を蒸発させる蒸発器としての空気熱交換器、３０は圧縮機２７と水冷媒熱交換器２３の一次側と膨張弁２８と空気熱交換器２９とを環状に接続する冷媒配管、３１は空気熱交換器２９へ加熱源となる空気を送風する送風機、３２は外気温度を検出する外気温度センサであり、これらの要素によってヒートポンプ式の加熱手段３３を構成している。
【００１６】
３４は給湯温度や各種必要な設定を行うためのリモートコントローラで、給湯設定温度や風呂設定温度を表示する表示部３５と、各種必要な設定を指示するための操作部３６と、このリモートコントローラの作動を制御するリモコン制御部３７とを備えている。
【００１７】
３８はこの貯湯式給湯装置の作動を制御する制御部で、予め作動を制御するためのプログラムが記憶されていると共に、演算、比較、記憶機能、カウント機能を備えたＭＰＵを有し、給湯温度センサ８、給湯流量センサ９、給水温度センサ１０、貯湯温度センサ１１ａ〜ｅ、風呂温度センサ１８、水位センサ１９、入水温度センサ２５、沸き上げ温度センサ２６、外気温度センサ３２にて検出される値が入力され、混合弁５、風呂循環ポンプ１７、湯張り開閉弁２１、加熱循環ポンプ２４、圧縮機２７、膨張弁２８、送風機３１の駆動を制御し、沸き上げ動作、給湯動作や風呂加熱動作等を制御するもので、リモートコントローラ３４のリモコン制御部３７と通信可能に接続されているものである。
【００１８】
図２はリモートコントローラ３４の正面図で、操作部３６には、給湯設定温度および風呂設定温度を設定する温度設定スイッチ３９と、浴槽１５への所定湯量の湯張りに続いて所定の保温時間だけ保温運転を行う風呂自動運転を開始させる風呂スイッチ４０と、貯湯タンク１内に一定量または一定時間の湯増しを行わせる湯増しスイッチ４１と、貯湯タンク１内の残湯量が少なくなると自動で行われる湯増し動作を操作時点から所定時刻までの間禁止する休止スイッチ４２と、その他の設定を行うためのメニュースイッチ４３とが設けられている。
【００１９】
図３はリモートコントローラ３４の表示部３５の全点灯状態の正面図で、ＬＥＤ光源による固定キャラクタ表示部（「高温」表示部４４、「浴室優先」表示部４５、「凍結予防」表示部４６、「満タン」表示部４７、「湯増し」表示部４８、「休止」表示部４９、「℃」表示部５０、５１）と、給湯栓７へ給湯する湯の設定温度（給湯設定温度）を表示する２桁の７セグメント表示部５２と、浴槽１５へ給湯する湯の設定温度（風呂設定温度）のうち十の位を表示する７セグメント表示部５３と、一の位を表示する９セグメント表示部５４とが設けられている。
【００２０】
９セグメント表示部５４は、下横セグメント５４ａと、中横セグメント５４ｂと、上横セグメント５４ｃと、左上縦セグメント５４ｄと、左下縦セグメント５４ｅと、右上縦セグメント５４ｆと、右下縦セグメント５４ｇとを通常の７セグメント表示部と同じように８の字状に配すると共に、下横セグメント５４ａと中横セグメント５４ｂの間の下中横セグメント５４ｈと、上横セグメント５４ｃと中横セグメント５４ｂの間の上中横セグメント５４ｉと、を有して構成され、下横セグメント５４ａと、中横セグメント５４ｂと、上横セグメント５４ｃと、左上縦セグメント５４ｄと、左下縦セグメント５４ｅと、右上縦セグメント５４ｆと、右下縦セグメント５４ｇとで給湯温度の指標である給湯設定温度のうち一の位を数字で表示可能とし、下横セグメント５４ａと、中横セグメント５４ｂと、上横セグメント５４ｃと、下中横セグメント５４ｈと、上中横セグメント５４ｉとで給湯用の湯水を貯湯する貯湯タンク１内の残湯量とをバー状に表示可能としている。
【００２１】
左上縦セグメント５４ｄおよび左下縦セグメント５４ｅは、その右辺の最上部から最下部までが直線状に形成され、右上縦セグメント５４ｆおよび右下縦セグメント５４ｇは、その左辺の最上部から最下部までが直線状に形成され、下横セグメント５４ａ、中横セグメント５４ｂ、下横セグメント５４ｃ、下中横セグメント５４ｈ、上中横セグメント５４ｉはその左右の両端が直線状に形成されていることで、下横セグメント５４ａ、中横セグメント５４ｂ、下横セグメント５４ｃ、下中横セグメント５４ｈ、上中横セグメント５４ｉを用いて貯湯タンク１内の残湯量を表示する際の視認性を向上させているものである。
【００２２】
ここで、各表示部４４〜５１および７セグメント表示部５２、５３、９セグメント表示部５４の各セグメントはスタイルフォーム（図示せず）で仕切られ、その内方にはそれぞれ個別にチップＬＥＤ（図示せず）が配されているものである。
【００２３】
図４はリモートコントローラ３４の表示部３５の給湯状態および給湯待機状態での正面図で、図２の「給湯」のプリント文字の真下に位置する７セグメント表示部５２が給湯設定温度を表示すると共に「℃」表示部５０が点灯し、また、「ふろ」のプリント文字の真下に位置する７セグメント表示部５３および「℃」表示部５１が消灯状態とされると共に９セグメント表示部５４の下横セグメント５４ａ、下中横セグメント５４ｈ、中横セグメント５４ｂ、上中横セグメント５４ｉ、上横セグメント５４ｃを貯湯温度センサ１１ａ〜ｅで検出している貯湯タンク１内の残湯量に応じた数だけ点灯状態とすることで残湯量を表示している。ここでは図示しない風呂リモコンに給湯設定温度の変更権が設定されているため「浴室優先」表示部４５が点灯状態とされている。
【００２４】
図５はリモートコントローラ３４の表示部３５の風呂自動運転状態での正面図で、７セグメント表示部５２が給湯設定温度を表示すると共に「℃」表示部５０が点灯状態とされ、７セグメント表示部５３および９セグメント表示部５４が風呂設定温度を表示すると共に「℃」表示部５１が点灯状態とされている。ここで、リモートコントローラ３４の風呂スイッチ４０が操作されることで他の表示状態からこの表示状態に遷移されるものである。
【００２５】
図６はリモートコントローラ３４の表示部３５の沸き増し休止状態での正面図で、７セグメント表示部５２が給湯設定温度を表示すると共に「℃」表示部５０が点灯し、７セグメント表示部５３および「℃」表示部５１が消灯状態とされると共に９セグメント表示部５４の下横セグメント５４ａ、下中横セグメント５４ｈ、中横セグメント５４ｂ、上中横セグメント５４ｉ、上横セグメント５４ｃを貯湯温度センサ１１ａ〜ｅで検出している貯湯タンク１内の残湯量に応じた数だけ点灯状態とすることで残湯量を表示し、「休止」表示部４９が点灯状態とされている。ここで、リモートコントローラ３４の休止スイッチ４２が操作されることで他の表示状態からこの表示状態に遷移されるものである。
【００２６】
図７はリモートコントローラ３４の表示部３５の時計表示状態での正面図で、７セグメント表示部５２が時間を表示し、７セグメント表示部５３および９セグメント表示部５４が分を表示し、「℃」表示部５０、５１が消灯状態とされ、時計を表示している旨を明確にしている。この時計表示状態は、給湯待機状態においてメニュースイッチ４３を長押しすることで切り替わるようになっている。
【００２７】
図８はリモートコントローラ３４の表示部３５の残湯量少状態での正面図で、９セグメント表示部５４による残湯量表示以外の表示を全て消灯すると共に、９セグメント表示部５４の残湯量表示を点滅表示させるようにして、貯湯タンク１内の残湯量が残り少なくなっていることを視覚的に認識しやすく表示しているもので、貯湯温度センサ１１ａ〜ｅで検出している貯湯タンク１の残湯量が所定の残湯量以下となると、他の表示状態からこの表示状態に遷移されるものである。
【００２８】
ここで、風呂自動運転中において残湯量少状態が継続している間は、この図８の表示状態と図５の風呂自動運転中の表示状態とを所定の時間間隔で切り替えて繰り返し表示するようにして、風呂自動運転中である旨も同時に表示できるようにしている。
【００２９】
なお、給湯設定温度が所定温度以上の高温設定がなされているときは、全ての表示状態において「高温」表示部４４を点灯状態として、高温の給湯がなされる旨を注意喚起するようにしている。
【００３０】
以上のように、給湯設定温度あるいは風呂設定温度を表示する表示部と貯湯タンク１の残湯量を表示する表示部とを兼用できるので、必要な表示を行いつつも表示部の数が減らせるため、貯湯式給湯機のリモートコントローラ３４を安価に提供することができるものである。
【００３１】
なお、本発明は上記一実施形態に限定されるものではなく、発明の要旨を変更しない範囲で改変可能なものであり、例えば、９セグメント表示部５４は、横向きのセグメントが５本で構成されているが、それ以上の数を設けてもよいものであり、給湯温度の指標として温度そのものを表示するようにしていたが、これに変えて、例えば「０〜９」のように温度の高さの指標を一桁の数字で段階的に表すようにしてもよいものである。
【００３２】
また、各セグメントの光源はチップＬＥＤとして説明したが、これに限られず、蛍光表示管等の自発光素子で各セグメントを構成してもよいものである。
【符号の説明】
【００３３】
１  貯湯タンク
３４  リモートコントローラ
３６  操作部
５４  ９セグメント表示部
５４ａ  下横セグメント
５４ｂ  中横セグメント
５４ｃ  上横セグメント
５４ｄ  左上縦セグメント
５４ｅ  左下縦セグメント
５４ｆ  右上縦セグメント
５４ｇ  右下縦セグメント
５４ｈ  下中横セグメント
５４ｉ  上中横セグメント
【図１】
2015200429.tif 000003
【図３】
2015200429.tif 000004
【図４】
2015200429.tif 000005
【図５】
2015200429.tif 000006
【図６】
2015200429.tif 000007
【図７】
2015200429.tif 000008
【図８】
2015200429.tif 000009
【図２】
2015200429.tif 000010